(57)【要約】【課題】食事によるカロリー等情報と運動によるカロリー消費情報とを関連付け、適切なカロリー等摂取量と適切な運動量の食生活管理情報を提供する。【解決手段】会員が事業提携先食堂事業者システム１で食事をしたメニューのカロリー等のデータ，会員が事業提携先トレーニングジムシステム２で運動した運動量データ，および会員が身に付けている万歩計（登録商標）５の歩数データを個人食生活健康状態管理サーバ３３に送信する。個人食生活健康状態管理サーバ３３は会員が摂取したカロリー等と運動により消費されたカロリー等を比較演算を行いデータベースに登録する。会員は会員携帯電話４で個人食生活健康状態管理サーバ３３に接続し、会員が食した食事メニューのカロリー値等のデータおよび運動により消費したカロリー値等のデータならびに現在必要なカロリー値や栄養値および運動量を閲覧する。【選択図】      図１
2004272453.tif 000002
【特許請求の範囲】
【請求項１】
会員が食した食事メニューを登録し前記食事メニューから摂取カロリー値を計算し前記食事メニューおよび前記摂取カロリー値を食生活健康管理情報提供事業者システムに送信する事業提携先食堂事業者システムと、
会員が運動した運動量を登録し前記運動量から運動消費カロリー値を計算し前記運動量と前記運動消費カロリー値を食生活健康管理情報提供事業者システムに送信する事業提携先トレーニングジムシステムと、
会員の登録を行い前記事業提携先食堂事業者システムから受信した前記会員の食事メニューおよび摂取カロリー値ならびに前記事業提携先トレーニングジムシステムから受信した前記会員の運動量および運動消費カロリー値を登録し前記食事メニューおよび摂取カロリー値ならびに前記運動量および運動消費カロリー値を関連付けて管理する食生活健康管理情報提供事業者システムと、
ネットワークを介して前記事業提携先食堂事業者システム，前記事業提携先トレーニングジムシステムおよび前記食生活健康管理情報提供事業者システムに接続する会員携帯電話と、
を備える食生活健康管理情報提供システム。
【請求項２】
前記会員携帯電話は、
会員の万歩計（登録商標）の歩数データを入力する手段を有し、
前記食生活健康管理情報提供事業者システムは、
前記会員携帯電話から受信した前記歩数データより歩数消費カロリー値を計算して登録する手段、前記関連付けて管理するデータに前記歩数データおよび前記歩数消費カロリー値を含めて関連付けて管理する手段を有する、
ことを特徴とする請求項１記載の食生活健康管理情報提供システム。
【請求項３】
前記食生活健康管理情報提供事業者システムは、
前記関連付けて管理するデータから前記会員が行うべき処置を導き表示する手段を有する、
ことを特徴とする請求項１または２記載の食生活健康管理情報提供システム。
【請求項４】
前記事業提携先食堂事業者システムは、
前記事業提携先食堂事業者システムをネットワークに接続する通信制御装置と、前記会員へ提供する食事メニューおよび食事メニューのカロリーや栄養データならびに前記会員が食した食事メニューデータを蓄積し会員が食した食事メニューデータおよび摂取カロリーや摂取栄養データを前記食生活健康管理情報提供事業者システムに送信する食事メニュー管理サーバと、
会員のＩＤデータを管理する会員ＩＤサーバと、
会員カードを読み取り読み取ったデータをＰＯＳレジに送出するカードリーダーと、
前記カードリーダーから受け取った会員カードデータを前記会員ＩＤサーバに問い合わせて会員認証を行い会員が食した食事メニューデータを前記食事メニュー管理サーバに送出するＰＯＳレジと、
を有することを特徴とする請求項１記載の食生活健康管理情報提供システム。
【請求項５】
前記事業提携先トレーニングジムシステムは、
前記事業提携先トレーニングジムシステムをネットワークに接続する通信制御装置と、
前記会員からのトレーニング予約の管理を行う予約管理サーバと、
前記会員の運動量および運動消費カロリー値データを蓄積し前記会員の運動量および運動消費カロリー値データを前記食生活健康管理情報提供事業者システムに送信する個人運動量データサーバと、
会員のＩＤデータを管理する会員ＩＤサーバと、
会員カードを読み取り読み取ったデータを運動器具に送出するカードリーダーと、
前記カードリーダーから受け取った会員カードデータを前記会員ＩＤサーバに問い合わせて会員認証を行い会員が運動した運動量を測定し測定した運動量および運動消費カロリー値データを前記個人運動量データサーバに送出する運動器具と、
を有することを特徴とする請求項１記載の食生活健康管理情報提供システム。
【請求項６】
前記食生活健康管理情報提供事業者システムは、
前記食生活健康管理情報提供事業者システムをネットワークに接続する通信制御装置と、
会員登録を受け付け登録した会員に会員カードを発行し会員データの管理を行う会員管理サーバと、
前記事業提携先食堂事業者システムから会員が食した食事メニューデータおよび摂取カロリー値や摂取栄養値データを受信して登録し前記事業提携先トレーニングジムシステムから会員の運動量および運動消費カロリー値データを受信して登録し前記食事メニューデータおよび摂取カロリー値や摂取栄養値データならびに前記運動量および運動消費カロリー値データを関連付けて管理する個人食生活健康状態管理サーバと、
を有することを特徴とする請求項１記載の食生活健康管理情報提供システム。
【請求項７】
事業提携先食堂事業者システムと事業提携先トレーニングジムシステムと食生活健康管理情報提供事業者システムと会員携帯電話とがネットワークを介して接続する食生活健康管理情報提供システムにおける食生活健康管理情報提供方法であって、
前記食生活健康管理情報提供事業者システムは、
利用者の会員登録を行い、
前記事業提携先食堂事業者システムは、
前記会員が食した食事メニューを登録し、
前記食事メニューから摂取カロリー値を計算し、
前記食事メニューおよび前記摂取カロリー値を前記食生活健康管理情報提供事業者システムに送信し、
前記事業提携先トレーニングジムシステムは、
前記会員が運動した運動量を登録し、
前記運動量から運動消費カロリー値を計算し、
前記運動量および前記運動消費カロリー値を前記食生活健康管理情報提供事業者システムに送信し、
前記食生活健康管理情報提供事業者システムは、
前記事業提携先食堂事業者システムから前記食事メニューおよび前記摂取カロリー値を受信して登録し、
前記事業提携先トレーニングジムシステムから前記運動量および前記運動消費カロリー値を受信して登録し、
前記食事メニューおよび前記摂取カロリー値ならびに前記運動量および前記運動消費カロリー値を関連付けて管理し、
前記会員携帯電話は、
前記食生活健康管理情報提供事業者システムにアクセスし、
前記関連付けて管理されるデータを閲覧する、
ことを特徴とする食生活健康管理情報提供方法。
【請求項８】
前記会員携帯電話は、
万歩計（登録商標）の歩数データを入力して前記食生活健康管理情報提供事業者システムに送信し、
前記食生活健康管理情報提供事業者システムは、
前記会員携帯電話から前記歩数データを受信し、
前記歩数データより歩数消費カロリー値を計算して登録し、
前記関連付けて管理するデータに前記歩数データおよび前記歩数消費カロリー値を含めて管理する、
ことを特徴とする請求項７記載の食生活健康管理情報提供方法。
【請求項９】
前記食生活健康管理情報提供事業者システムは、
前記前記関連付けて管理するデータから前記会員が行うべき処置を導き表示することを特徴とする請求項７または８記載の食生活健康管理情報提供方法。
【請求項１０】
事業提携先食堂事業者システムと事業提携先トレーニングジムシステムと食生活健康管理情報提供事業者システムと会員携帯電話とがネットワークを介して接続する食生活健康管理情報提供システムにおける食生活健康管理情報提供プログラムであって、
コンピュータに、
前記食生活健康管理情報提供事業者システムが、
利用者の会員登録を行う機能、
前記事業提携先食堂事業者システムが、
前記会員が食した食事メニューを登録する機能、
前記食事メニューから摂取カロリー値を計算する機能、
前記食事メニューおよび前記摂取カロリー値を前記食生活健康管理情報提供事業者システムに送信する機能、
前記事業提携先トレーニングジムシステムが、
前記会員が運動した運動量を登録する機能、
前記運動量から運動消費カロリー値を計算する機能、
前記運動量および前記運動消費カロリー値を前記食生活健康管理情報提供事業者システムに送信する機能、
前記食生活健康管理情報提供事業者システムが、
前記事業提携先食堂事業者システムから前記食事メニューおよび前記摂取カロリー値を受信して登録する機能、
前記事業提携先トレーニングジムシステムから前記運動量および前記運動消費カロリー値を受信して登録する機能、
前記食事メニューおよび前記摂取カロリー値ならびに前記運動量および前記運動消費カロリー値を関連付けて管理する機能、
前記会員携帯電話が、
前記食生活健康管理情報提供事業者システムにアクセスする機能、
前記関連付けて管理されるデータを閲覧する機能、
を実現させるための食生活健康管理情報提供プログラム。
【請求項１１】
前記会員携帯電話が、
万歩計（登録商標）の歩数データを入力して前記食生活健康管理情報提供事業者システムに送信する機能、
前記食生活健康管理情報提供事業者システムが、
前記会員携帯電話から前記歩数データを受信する機能、
前記歩数データより歩数消費カロリー値を計算して登録する機能、
前記関連付けて管理するデータに前記歩数データおよび前記歩数消費カロリー値を含めて管理する機能、
を実現させるための請求項１０記載の食生活健康管理情報提供プログラム。
【請求項１２】
前記食生活健康管理情報提供事業者システムが、
前記前記関連付けて管理するデータから前記会員が行うべき処置を導き表示する機能、
を実現させるための請求項１０または１１記載の食生活健康管理情報提供プログラム。
【発明の詳細な説明】
【０００１】
【発明の属する技術分野】
本発明は、食生活健康管理情報提供システム，方法およびプログラムに関し、特に食事と運動量に連動し、食事によるカロリーや栄養等の摂取量データと運動したことによるカロリー消費データとを比較し、現在必要なカロリーや栄養または現在必要な運動量の情報を提供する食生活健康管理情報提供システム，方法およびプログラムに関する。
【０００２】
【従来の技術】
従来のシステムでは、予め健康管理システムに登録された個人の食事のメニューからカロリー計算、栄養分析を行いコンピュータシステムによる健康に関するアドバイス情報をネットワークを介して利用者へ情報提供している。
【０００３】
また、万歩計（登録商標）を備えた携帯電話により自動的に運動量を把握し、メニュー単位に栄養素情報を管理したレジスターにより飲食状況を把握し、インターネットを通じてサーバあてに情報登録することにより、運動と飲食を総合したアドバイス、アラームを利用者の携帯電話宛て電子メールにて発信する総合健康情報管理システムもある（例えば、特許文献１参照。）。
【０００４】
【特許文献１】
特開２００２−２４４０４号公報
【０００５】
【発明が解決しようとする課題】
しかしながら、上述した従来の技術には、以下のような問題点がある。
【０００６】
食事は人間が生きるためには必要不可欠の行為であるが、昨今の日本人の飽食時代において、つい食べ過ぎてしまい必要以上にカロリーや栄養を摂取している人が多数である。その逆に、肥ることを気にして必要なカロリーや栄養を取らない人もいる。
【０００７】
正しい食事のとり方と、適度な運動をすることにより、健康で快適な食生活を送ることが現代社会において必要になってきている。
【０００８】
現在、食生活に関する様々な情報提供がなされているが、アドバイス情報を取得しても、そのアドバイスに基づき実行しなければ意味がない。
【０００９】
しかし、アドバイスに基づき実行するにも、例えばカロリー摂取量が多く運動するようにとの情報を得た場合に、どのような運動を行えばよいのか、実際の運動量が適切であるかどうか、などはトレーナー等の専門家でもない限り、正確に把握するのは困難であるということである。
【００１０】
本発明の目的は、個人が食事をすることによるカロリーや栄養等の情報と運動することによるカロリー消費情報とを関連付けることにより、利用者にとって適時における適切なる摂取カロリーや栄養等または適切なる運動量の食生活管理情報を、情報サービス事業者よりネットワークを介して利用者の携帯電話等に提供する食生活健康管理情報提供システム，方法およびプログラムを提供することにある。
【００１１】
【課題を解決するための手段】
本願第１の発明の食生活健康管理情報提供システムは、会員が食した食事メニューを登録し前記食事メニューから摂取カロリー値を計算し前記食事メニューおよび前記摂取カロリー値を食生活健康管理情報提供事業者システムに送信する事業提携先食堂事業者システムと、会員が運動した運動量を登録し前記運動量から運動消費カロリー値を計算し前記運動量と前記運動消費カロリー値を食生活健康管理情報提供事業者システムに送信する事業提携先トレーニングジムシステムと、会員の登録を行い前記事業提携先食堂事業者システムから受信した前記会員の食事メニューおよび摂取カロリー値ならびに前記事業提携先トレーニングジムシステムから受信した前記会員の運動量および運動消費カロリー値を登録し前記食事メニューおよび摂取カロリー値ならびに前記運動量および運動消費カロリー値を関連付けて管理する食生活健康管理情報提供事業者システムと、ネットワークを介して前記事業提携先食堂事業者システム，前記事業提携先トレーニングジムシステムおよび前記食生活健康管理情報提供事業者システムに接続する会員携帯電話と、を備える。
【００１２】
本願第２の発明の食生活健康管理情報提供システムは、第１の発明において前記会員携帯電話は、会員の万歩計（登録商標）の歩数データを入力する手段を有し、前記食生活健康管理情報提供事業者システムは、前記会員携帯電話から受信した前記歩数データより歩数消費カロリー値を計算して登録する手段、前記関連付けて管理するデータに前記歩数データおよび前記歩数消費カロリー値を含めて関連付けて管理する手段を有する。
【００１３】
本願第３の発明の食生活健康管理情報提供システムは、第１または第２の発明において前記食生活健康管理情報提供事業者システムは、前記関連付けて管理するデータから前記会員が行うべき処置を導き表示する手段を有する。
【００１４】
本願第４の発明の食生活健康管理情報提供システムは、第１の発明において前記事業提携先食堂事業者システムは、前記事業提携先食堂事業者システムをネットワークに接続する通信制御装置と、前記会員へ提供する食事メニューおよび食事メニューのカロリーや栄養データならびに前記会員が食した食事メニューデータを蓄積し会員が食した食事メニューデータおよび摂取カロリーや摂取栄養データを前記食生活健康管理情報提供事業者システムに送信する食事メニュー管理サーバと、会員のＩＤデータを管理する会員ＩＤサーバと、会員カードを読み取り読み取ったデータをＰＯＳレジに送出するカードリーダーと、前記カードリーダーから受け取った会員カードデータを前記会員ＩＤサーバに問い合わせて会員認証を行い会員が食した食事メニューデータを前記食事メニュー管理サーバに送出するＰＯＳレジと、を有する。
【００１５】
本願第５の発明の食生活健康管理情報提供システムは、第１の発明において前記事業提携先トレーニングジムシステムは、前記事業提携先トレーニングジムシステムをネットワークに接続する通信制御装置と、前記会員からのトレーニング予約の管理を行う予約管理サーバと、前記会員の運動量および運動消費カロリー値データを蓄積し前記会員の運動量および運動消費カロリー値データを前記食生活健康管理情報提供事業者システムに送信する個人運動量データサーバと、会員のＩＤデータを管理する会員ＩＤサーバと、会員カードを読み取り読み取ったデータを運動器具に送出するカードリーダーと、前記カードリーダーから受け取った会員カードデータを前記会員ＩＤサーバに問い合わせて会員認証を行い会員が運動した運動量を測定し測定した運動量および運動消費カロリー値データを前記個人運動量データサーバに送出する運動器具と、を有する。
【００１６】
本願第６の発明の食生活健康管理情報提供システムは、第１の発明において前記食生活健康管理情報提供事業者システムは、前記食生活健康管理情報提供事業者システムをネットワークに接続する通信制御装置と、会員登録を受け付け登録した会員に会員カードを発行し会員データの管理を行う会員管理サーバと、前記事業提携先食堂事業者システムから会員が食した食事メニューデータおよび摂取カロリー値や摂取栄養値データを受信して登録し前記事業提携先トレーニングジムシステムから会員の運動量および運動消費カロリー値データを受信して登録し前記食事メニューデータおよび摂取カロリー値や摂取栄養値データならびに前記運動量および運動消費カロリー値データを関連付けて管理する個人食生活健康状態管理サーバと、を有する。
【００１７】
本願第７の発明の食生活健康管理情報提供方法は、前記食生活健康管理情報提供事業者システムは、利用者の会員登録を行い、前記事業提携先食堂事業者システムは、前記会員が食した食事メニューを登録し、前記食事メニューから摂取カロリー値を計算し、前記食事メニューおよび前記摂取カロリー値を前記食生活健康管理情報提供事業者システムに送信し、前記事業提携先トレーニングジムシステムは、前記会員が運動した運動量を登録し、前記運動量から運動消費カロリー値を計算し、前記運動量および前記運動消費カロリー値を前記食生活健康管理情報提供事業者システムに送信し、前記食生活健康管理情報提供事業者システムは、前記事業提携先食堂事業者システムから前記食事メニューおよび前記摂取カロリー値を受信して登録し、前記事業提携先トレーニングジムシステムから前記運動量および前記運動消費カロリー値を受信して登録し、前記食事メニューおよび前記摂取カロリー値ならびに前記運動量および前記運動消費カロリー値を関連付けて管理し、前記会員携帯電話は、前記食生活健康管理情報提供事業者システムにアクセスし、前記関連付けて管理されるデータを閲覧する、ことを特徴とする。
【００１８】
本願第８の発明の食生活健康管理情報提供方法は、第７の発明において前記会員携帯電話は、万歩計（登録商標）の歩数データを入力して前記食生活健康管理情報提供事業者システムに送信し、前記食生活健康管理情報提供事業者システムは、前記会員携帯電話から前記歩数データを受信し、前記歩数データより歩数消費カロリー値を計算して登録し、前記関連付けて管理するデータに前記歩数データおよび前記歩数消費カロリー値を含めて管理する、ことを特徴とする。
【００１９】
本願第９の発明の食生活健康管理情報提供方法は、第７または第８の発明において前記食生活健康管理情報提供事業者システムは、前記前記関連付けて管理するデータから前記会員が行うべき処置を導き表示することを特徴とする。
【００２０】
本願第１０の発明の食生活健康管理情報提供プログラムは、コンピュータに、前記食生活健康管理情報提供事業者システムが、利用者の会員登録を行う機能、前記事業提携先食堂事業者システムが、前記会員が食した食事メニューを登録する機能、前記食事メニューから摂取カロリー値を計算する機能、前記食事メニューおよび前記摂取カロリー値を前記食生活健康管理情報提供事業者システムに送信する機能、前記事業提携先トレーニングジムシステムが、前記会員が運動した運動量を登録する機能、前記運動量から運動消費カロリー値を計算する機能、前記運動量および前記運動消費カロリー値を前記食生活健康管理情報提供事業者システムに送信する機能、前記食生活健康管理情報提供事業者システムが、前記事業提携先食堂事業者システムから前記食事メニューおよび前記摂取カロリー値を受信して登録する機能、前記事業提携先トレーニングジムシステムから前記運動量および前記運動消費カロリー値を受信して登録する機能、前記食事メニューおよび前記摂取カロリー値ならびに前記運動量および前記運動消費カロリー値を関連付けて管理する機能、前記会員携帯電話が、前記食生活健康管理情報提供事業者システムにアクセスする機能、前記関連付けて管理されるデータを閲覧する機能、を実現させる。
【００２１】
本願第１１の発明の食生活健康管理情報提供プログラムは、第１０の発明において前記会員携帯電話が、万歩計（登録商標）の歩数データを入力して前記食生活健康管理情報提供事業者システムに送信する機能、前記食生活健康管理情報提供事業者システムが、前記会員携帯電話から前記歩数データを受信する機能、前記歩数データより歩数消費カロリー値を計算して登録する機能、前記関連付けて管理するデータに前記歩数データおよび前記歩数消費カロリー値を含めて管理する機能、を実現させる。
【００２２】
本願第１２の発明の食生活健康管理情報提供プログラムは、第１０または第１１の発明において前記食生活健康管理情報提供事業者システムが、前記前記関連付けて管理するデータから前記会員が行うべき処置を導き表示する機能、を実現させる。
【００２３】
【発明の実施の形態】
本発明の実施の形態について、図面を参照して詳細に説明する。
図１は、本発明の実施の形態の構成の１例を示すブロック図である。
【００２４】
図１を参照すると、本発明の実施の形態の食生活健康管理情報提供システムは、事業提携先食堂事業者システム１と、事業提携先トレーニングジムシステム２と、食生活健康管理情報提供事業者システム３と、会員携帯電話４と、万歩計（登録商標）５と、ネットワーク６と、を備えている。
【００２５】
事業提携先食堂事業者システム１は、食生活健康管理情報提供事業者と事業提携をしている食堂事業者のシステムであり、通信制御装置１１と、食事メニュー管理サーバ１２と、会員ＩＤサーバ１３と、ＰＯＳ（ｐｏｉｎｔ−ｏｆ−ｓａｌｅ）レジ１５と、カードリーダー１６と、を有している。事業提携先食堂事業者システム１は、提供する献立のカロリーや栄養等についてのデータを予め食事メニュー管理サーバ１２に登録する機能、会員が食事をして会計等をするときに会員が提示した会員カード３４をカードリーダー１６で読み取り、会員個人の識別を行い、食したメニューのデータを食事メニュー管理サーバ１２に蓄積する機能、定期的に食生活健康管理情報提供事業者システム３の個人食生活健康状態管理サーバ３３に対し会員個人が食した食事メニューデータおよび摂取カロリーや摂取栄養等のデータを送信する機能、等を具備する。
【００２６】
通信制御装置１１は、事業提携先トレーニングジムシステム２や食生活健康管理情報提供事業者システム３などとデータ通信するための通信装置であり、例えばインターネット接続の環境であればルータ、ＷＥＢサーバ、ＤＮＳサーバ、ファイヤーウォール等の情報処理装置から構成される。
【００２７】
食事メニュー管理サーバ１２は、ワークステーション、サーバ等の情報処理装置によって構成され、会員へ提供する食事のメニューおよびカロリー・栄養等データと会員が食した食事メニューデータを蓄積するデータベースを有し、定期的に会員毎の食事メニューデータおよび摂取カロリー値や摂取栄養値等のデータを通信制御装置１１よりネットワーク６を介して食生活健康管理情報提供事業者システム３の個人食生活健康状態管理サーバ３３へ送信する機能を有する。
【００２８】
会員ＩＤサーバ１３は、ワークステーション、サーバ等の情報処理装置によって構成され、会員ＩＤ（識別子）に関するデータベースを有する。
【００２９】
ＰＯＳレジ１５は、店舗販売時点情報管理システムまたは販売時点管理システムで、在庫・発注管理、販売統計などを行うコンピュータシステムと連動したキャッシュレジスターであり、カードリーダー１６と会員ＩＤサーバ１３と食事メニュー管理サーバ１２と接続される。
【００３０】
カードリーダー１６は、会員カード３４を通し、会員カード３４に記憶されているデータを読み込むための装置であり、ＰＯＳレジ１５と接続されており、読み込んだデータをＰＯＳレジ１５へ渡す機能を有する。
【００３１】
事業提携先トレーニングジムシステム２は、食生活管理情報提供事業者と事業提携をしている会員制スポーツクラブ（トレーニングジムやフィットネスクラブ等）事業者のシステムであり、通信制御装置２１と、予約管理サーバ２２と、個人運動量データサーバ２３と、会員ＩＤサーバ２４と、運動器具２５と、カードリーダー２６と、を有している。事業提携先トレーニングジムシステム２は、運動器具２５にカードリーダー２６を備え付けてあり、会員が運動器具２５を使用する直前に会員カード３４をカードリーダー２６に通すことにより、運動器具２５は会員の個人識別を行い、会員が運動器具２５を使用して運動したときの運動量等のデータを個人運動量データサーバ２３に蓄積する機能、定期的に食生活健康管理情報提供事業者システム３の個人食生活健康状態管理サーバ３３に対し運動量データおよび運動消費カロリー値データを送信する機能、等を具備する。
【００３２】
通信制御装置２１は、事業提携先食堂事業者システム１や食生活健康管理情報提供事業者システム３などとデータ通信するための通信装置であり、例えばインターネット接続の環境であればルータ、ＷＥＢサーバ、ＤＮＳサーバ、ファイヤーウォール等の情報処理装置から構成される。
【００３３】
予約管理サーバ２２は、ワークステーション、サーバ等の情報処理装置によって構成され、会員が事業提携先トレーニングジムシステム２でトレーニングを行う際、事前に予約ができるよう管理を行うサーバであり、会員携帯電話４からネットワーク６を介して予約を受け付ける機能と会員が予約状況を確認することができる機能を有する。
【００３４】
個人運動量データサーバ２３は、ワークステーション、サーバ等の情報処理装置によって構成され、会員個人の運動量、運動消費カロリー量を管理するデータベースを有し、定期的に会員毎の運動量および運動消費カロリー量データを通信制御装置２１よりネットワーク６を介して食生活健康管理情報提供事業者システム３の個人食生活健康状態管理サーバ３３へ送信する機能を有する。また、運動器具２５からは運動量データのみを受け取り、個人運動量データサーバ２３が運動量データから運動消費カロリー値を計算するようにしてもよい。
【００３５】
会員ＩＤサーバ２４は、ワークステーション、サーバ等の情報処理装置によって構成され、会員ＩＤに関するデータベースを有する。
【００３６】
運動器具２５は、カードリーダー２６と会員ＩＤサーバ２４と、個人運動量データサーバ２３に接続され、会員が運動器具２５を使用して得られた運動量や消費したカロリー（運動消費カロリー）量データを個人運動量データサーバ２３へ転送する機能を有する。
【００３７】
カードリーダー２６は、会員カード３４を通し、会員カード３４に記憶されているデータを読み込むための装置であり、運動器具２５と接続されており、読み込んだデータを運動器具２５へ渡す機能を有する。
【００３８】
食生活健康管理情報提供事業者システム３は、会員に会員個人の食生活健康情報を提供する事業者のシステムであり、通信制御装置３１と、会員管理サーバ３２と、個人食生活健康状態管理サーバ３３と、会員カード３４と、を有している。食生活健康管理情報提供事業者システム３は、会員制度を取り入れ、会員にはＩＣカード等の会員個人の識別が出来る媒体（会員カード３４）を配布する。また、会員に会員ＩＤとパスワードを付与する。なお、食生活健康管理情報提供事業者は、食堂事業者およびトレーニングジム事業者と事業提携を行っている。
【００３９】
通信制御装置３１は、事業提携先食堂事業者システム１や事業提携先トレーニングジムシステム２などとデータ通信するための通信装置であり、例えばインターネット接続の環境であればルータ、ＷＥＢサーバ、ＤＮＳサーバ、ファイヤーウォール等の情報処理装置から構成される。
【００４０】
会員管理サーバ３２は、ワークステーション、サーバ等の情報処理装置によって構成され、会員個人データを管理するデータベースを有する。会員管理サーバ３２は、利用者の会員登録を受け付ける機能、登録した会員データの管理を行う機能、会員情報を会員ＩＤサーバ１３および会員ＩＤサーバ２４に送出する機能、等を有する。また、登録した会員に対して、会員ＩＤおよびパスワードを発行する機能、会員カードを発行する機能、等を有する。
【００４１】
個人食生活健康状態管理サーバ３３は、ワークステーション、サーバ等の情報処理装置によって構成され、会員個人の食生活健康状態を管理するデータベースを有し、定期的に食事メニュー管理サーバ１２より会員の食事メニューデータおよび摂取カロリー値や摂取栄養値等のデータを受信する機能、受信したデータの分析や演算を行い結果をデータベースに登録する機能、定期的に会員個人の運動量および運動消費カロリー値データを個人運動量データサーバ２３よりネットワーク６を介して受信する機能、受信したデータの分析や演算を行い結果をデータベースに登録する機能、会員が携帯している万歩計（登録商標）５の歩数データを会員の所持する会員携帯電話４からネットワーク６を介して受信する機能、受信した歩数データの分析や歩数データから歩数消費カロリー値の計算を行い結果をデータベースに登録する機能、摂取カロリー値や消費カロリー値等を関連付けて管理する機能、関連付けて管理するデータから会員が行うべき処置を導き表示する機能、等を有する。また、食事メニュー管理サーバ１２からは会員の食事メニューデータを受信し、個人食生活健康状態管理サーバ３３が食事メニューデータから摂取カロリー値や摂取栄養値等を計算するようにしてもよい。また、個人運動量データサーバ２３からは会員の運動量データを受信し、個人食生活健康状態管理サーバ３３が運動量データから運動消費カロリー値を計算するようにしてもよい。
【００４２】
会員カード３４は、磁気カードまたはＩＣカード等により構成され、食生活健康管理情報提供事業者システム３が会員に配布するＩＤカードであり、会員が事業提携先食堂事業者システム１または事業提携先トレーニングジムシステム２にてサービスを提供されるとき、会員個人のＩＤを識別するために必要なものであり、会員が所持する。
【００４３】
会員携帯電話４は、会員の所持する携帯電話である。会員携帯電話４は、インターネットに接続可能な携帯電話であって、表示部を有し、表示部にはネットワーク６を介して送られてくるテキストデータや画像データ等を表示する。会員携帯電話４は、食生活健康管理情報提供事業者システム３の個人食生活健康状態管理サーバ３３に接続を行い、カロリー・栄養バランス状態等を閲覧する機能を有する。
【００４４】
万歩計（登録商標）５は、会員が携帯する一般的に市販されている万歩計（登録商標）である。
【００４５】
ネットワーク６は、事業提携先食堂事業者システム１と事業提携先トレーニングジムシステム２と食生活健康管理情報提供事業者システム３と会員携帯電話４とを接続するインターネット等の通信回線網である。有線については、ＩＳＤＮ、ＡＤＳＬ、光ファイバー等全ての有線回線を包括する。また、無線については、公衆無線回線である携帯電話網等である。
【００４６】
次に、本発明の実施の形態の動作について、図面を参照して詳細に説明する。図２は、会員が事業提携先食堂事業者システム１で食事をし、食した食事メニューのカロリー・栄養データが食事メニュー管理サーバ１２に登録されるまでの動作の１例をフロー図で示したものである。
図３は、会員が事業提携先トレーニングジムシステム２にて運動器具２５を利用して運動したとき、運動量データが個人運動量データサーバ２３に登録されるまでの動作の１例をフロー図で示したものである。
図４は、会員が自身に携帯している万歩計（登録商標）５から歩いた歩数を確認し、歩数を個人食生活健康状態管理サーバ３３へ登録するまでの動作の１例をフロー図にしたものである。
図５は、会員が会員携帯電話４を使用して、個人食生活健康状態管理サーバ３３へ接続し、会員個人の食生活健康管理データを会員携帯電話４の表示部へ表示するまでの動作の１例をフロー図にしたものである。
図６は、会員が会員携帯電話４を使用して、個人食生活健康状態管理サーバ３３へ接続し、会員個人の最新の食生活健康管理データを会員携帯電話４の表示部へ表示するまでの動作の１例をフロー図にしたものである。
図７は、万歩計（登録商標）歩数データ登録画面の例を示す図である。
図８は、サービスメニュー画面の例を示す図である。
図９は、食生活健康状態画面の例を示す図である。
図１０は、食生活健康状態の必要処置画面の例を示す図である。
図１１は、事業提携先食堂事業者システム１以外で食事をしたときの食事メニューを登録する画面の例を示す図である。
【００４７】
最初に、会員が事業提携先食堂事業者システム１で食事をし、食した食事メニューのカロリー・栄養データが食事メニュー管理サーバ１２に登録されるまでの動作について説明する。
【００４８】
図２を参照すると、会員は食事をして会計をするとき、会員カード３４を食堂の会計係に渡し、会計係は会員カード３４をカードリーダー１６に通すことにより、カードリーダー１６は会員カード３４からデータを読み取り、読み取ったデータをＰＯＳレジ１５へ送出する（ステップＡ１）
ＰＯＳレジ１５はカードリーダー１６より送出された会員カードデータにて会員ＩＤサーバ１３へ会員ＩＤの問い合わせを行う（ステップＡ２）。
【００４９】
会員ＩＤサーバ１３はＰＯＳレジ１５からの問い合わせに対し、サーバ内にある会員ＩＤデータベースから会員ＩＤの照合を行い（ステップＡ３）、照合したデータすなわち会員ＩＤデータをＰＯＳレジ１５へ送出する（ステップＡ４）。
【００５０】
ＰＯＳレジ１５は会員ＩＤサーバ１３より受信した会員ＩＤデータにより会員の識別を行い（ステップＡ５）、食事メニュー管理サーバ１２へ会員が食した食事メニューデータを転送する（ステップＡ６）。
【００５１】
食事メニュー管理サーバ１２はＰＯＳレジ１５より受信した会員の食事メニューデータをサーバ内の食事メニューデータベースへ登録・更新する（ステップＡ７）。
【００５２】
続いて、会員が事業提携先トレーニングジムシステム２にて運動器具２５を利用して運動したとき、運動量データが個人運動量データサーバ２３に登録されるまでの動作について説明する。
【００５３】
図３を参照すると、会員は運動器具２５を利用するとき、先ず、運動器具２５に接続されているカードリーダー２６に自分の会員カード３４を通すことにより、カードリーダー２６は会員カード３４からデータを読み込み、運動器具２５に対してデータを送出する（ステップＢ１）。
【００５４】
運動器具２５はカードリーダー２６から受信したデータにより、会員ＩＤサーバ２４に対して会員にＩＤの問い合わせを行う（ステップＢ２）。
【００５５】
会員ＩＤサーバ２４は運動器具２５からの問い合わせに対し、サーバ内にある会員ＩＤデータベースから会員ＩＤの照合を行い（ステップＢ３）、照合したデータすなわち会員ＩＤデータを運動器具２５へ送出する（ステップＢ４）。
【００５６】
運動器具２５は会員ＩＤサーバ２４より受信した会員ＩＤデータにより会員の識別を行う（ステップＢ５）。
【００５７】
会員の運動器具２５の使用開始操作により、運動器具２５は運動量を測定開始する（ステップＢ６）。
【００５８】
運動器具２５は会員が運動を続けている間は運動量データを蓄積していく（ステップＢ７）。
【００５９】
運動器具２５は会員が運動を止め、会員により使用終了操作を行うことにより、運動量測定を終了し（ステップＢ８）、個人運動量データサーバ２３へ運動量データを転送する（ステップＢ９）。
【００６０】
運動器具２５はデータ転送後、データをリセットする（ステップＢ１１）。
【００６１】
個人運動量データサーバ２３は運動器具２５より受信した会員の運動量および運動量から計算した運動消費カロリー量等のデータをサーバ内の個人運動量データベースへ登録・更新する（ステップＢ１０）。
【００６２】
続いて、会員が自身に携帯している万歩計（登録商標）５から歩いた歩数を確認し、歩数を個人食生活健康状態管理サーバ３３へ登録するまでの動作について説明する。
【００６３】
図４を参照すると、会員携帯電話４から個人食生活健康状態管理サーバ３３へネットワーク６を介してアクセスし（ステップＣ１）、個人食生活健康状態管理サーバ３３はサービスを提供する会員の識別をするためのログイン画面を送出し（ステップＣ２）、会員携帯電話４からログイン画面にＩＤとパスワードを入力し、個人食生活健康状態管理サーバ３３へ送出する（ステップＣ３）。
【００６４】
個人食生活健康状態管理サーバ３３は会員携帯電話４から受信したＩＤ、パスワードで個人会員の認証処理を行い（ステップＣ４）、認証が通れば会員携帯電話４は個人食生活健康状態管理サーバ３３にログオンでき（ステップＣ５）、個人食生活健康状態管理サーバ３３より図８に示すサービスメニュー画面が送出される（ステップＣ６）。
【００６５】
会員は会員携帯電話４にて、サービス画面より歩数データ登録画面を選択すると（ステップＣ７）、個人食生活健康状態管理サーバ３３より図７に示す万歩計（登録商標）歩数データ登録画面が送出され（ステップＣ８）、万歩計（登録商標）を作動させた開始時間と現在時刻と歩数とを入力する（ステップＣ９）。
【００６６】
個人食生活健康状態管理サーバ３３は会員携帯電話４より取得した歩数データにより、歩数消費カロリー値演算を行い、結果をカロリー値データベースに登録・更新処理を行う（ステップＣ１０）。
【００６７】
続いて、会員が会員携帯電話４を使用して、個人食生活健康状態管理サーバ３３へ接続し、会員個人の食生活健康管理データを会員携帯電話４の表示部へ表示するまでの動作について説明する。
【００６８】
図５を参照すると、会員携帯電話４から個人食生活健康状態管理サーバ３３へネットワーク６を介してアクセスし（ステップＤ１）、個人食生活健康状態管理サーバ３３はサービスを提供する会員の識別をするためのログイン画面を送出し（ステップＤ２）、会員は会員携帯電話４からログイン画面にＩＤとパスワードを入力し、個人食生活健康状態管理サーバ３３へ送出する（ステップＤ３）。
【００６９】
個人食生活健康状態管理サーバ３３は会員携帯電話４から受信したＩＤとパスワードで個人会員の認証処理を行い（ステップＤ４）、認証が通れば会員携帯電話４は個人食生活健康状態管理サーバ３３にログオンでき（ステップＤ５）、個人食生活健康状態管理サーバ３３より図８に示すサービスメニュー画面が送出される（ステップＤ６）。
【００７０】
会員は会員携帯電話４にて、サービスメニュー画面より食生活健康状態表示画面を選択すると（ステップＤ７）、個人食生活健康状態管理サーバ３３より図９に示す食生活健康状態画面が送出され（ステップＤ８）、カロリー摂取量や栄養状態が適正であれば、図９（ａ）の画面を表示し、カロリー摂取量や栄養状態に問題があれば、図９（ｂ）に示すような画面を表示する（ステップＤ９）。
【００７１】
図９（ｂ）によれば、「必要処置」ボタンが会員携帯電話４の画面に表示され、「必要処置」ボタンを押下する（「必要処置」を選択する）ことにより、図１０に示すようなカロリーや栄養状態を適正値にするため、どのくらいの運動量が必要か、食事メニューはどのようなものをとるべきかなどの具体的な行動措置を表示する。
【００７２】
更に、図１０によれば、「トレーニングメニュー」ボタンが会員携帯電話４の画面に表示され、「トレーニングメニュー」ボタンを押下することにより、事業提携先トレーニングジムシステム２でのトレーニングメニューが表示され、会員はトレーニングメニューに従いトレーニングを行えばよい。
【００７３】
続いて、会員が会員携帯電話４を使用して、個人食生活健康状態管理サーバ３３へ接続し、会員個人の最新の食生活健康管理データを会員携帯電話４の表示部へ表示するまでの動作について説明する。
【００７４】
図６を参照すると、会員携帯電話４から個人食生活健康状態管理サーバ３３へネットワーク６を介してアクセスし（ステップＥ１）、個人食生活健康状態管理サーバ３３はサービスを提供する会員の識別をするためのログイン画面を送出し（ステップＥ２）、会員は会員携帯電話４からログイン画面にＩＤとパスワードを入力し、個人食生活健康状態管理サーバ３３へ送出する（ステップＥ３）。
【００７５】
個人食生活健康状態管理サーバ３３は会員携帯電話４から受信したＩＤとパスワードで個人会員の認証処理を行い（ステップＥ４）、認証が通れば会員携帯電話４は個人食生活健康状態管理サーバ３３にログオンでき（ステップＥ５）、個人食生活健康状態管理サーバ３３より図８に示すサービスメニュー画面が送出される（ステップＥ６）。
【００７６】
会員は会員携帯電話４にて、サービスメニュー画面より食生活健康状態表示画面を選択すると（ステップＥ７）、個人食生活健康状態管理サーバ３３より図９に示す食生活健康状態画面が送出され（ステップＥ８）、カロリー摂取量や栄養状態が適正であれば、図９（ａ）の画面を表示し、カロリー摂取量や栄養状態に問題があれば、図９（ｂ）に示すような画面を表示するが、図９（ａ）の画面および図９（ｂ）の画面に示す「最新データ要求」ボタンを押下することにより、個人食生活健康状態管理サーバ３３に対し、食生活健康状態最新データを要求する（ステップＥ９）。
【００７７】
個人食生活健康状態管理サーバ３３は会員携帯電話４からの食生活健康状態最新データ要求を受け付けると、食事メニュー管理サーバ１２へ対し、食事メニューデータ要求を行い（ステップＥ１０）、併せて、個人運動量データサーバ２３に対して運動量データ要求を行う（ステップＥ１２）。
【００７８】
食事メニュー管理サーバ１２は、個人食生活健康状態管理サーバ３３からの食事メニューデータ要求を受け付けると、食事メニューデータを送出し（ステップＥ１１）、同じく、個人運動量データサーバ２３は個人食生活健康状態管理サーバ３３からの運動量データ要求を受け付けると運動量データを送出する（ステップＥ１３）。
【００７９】
個人食生活健康状態管理サーバ３３は食事メニューデータおよび運動量データを受信すると、双方のデータからカロリー値および栄養値の演算を行い（ステップＥ１４）、カロリー・栄養データの演算結果を食生活健康状態データベースに登録・更新を行い（ステップＥ１５）、会員携帯電話４に対して、最新食生活健康状態データおよび必要処置データを送出する（ステップＥ１６）。
【００８０】
会員携帯電話４は、個人食生活健康状態管理サーバ３３より受信した最新食生活健康状態データおよび必要処置データを表示部へ表示する（ステップＥ１７）。
【００８１】
最後に、会員が事業提携先食堂事業者システム１以外で食事をした場合に、会員携帯電話４を使用して、個人食生活健康状態管理サーバ３３へ接続し、事業提携先食堂事業者システム１以外で食事をしたときに食した食べ物のカロリーや栄養データを登録する動作について説明する。
【００８２】
会員が事業提携先食堂事業者システム１以外で食事をした場合には、そのときのカロリーや栄養データが個人食生活健康状態管理サーバ３３上で欠落した状態となる。その場合、個人食生活健康状態管理サーバ３３はネットワーク６を介し会員携帯電話４に対して、アラームを送出し、食した食べ物のカロリーや栄養データを登録するための図１１に示すような画面を送出する。会員は会員携帯電話４に表示された図１１の画面から、事業提携先食堂事業者システム１以外で食事をしたときの、例えば、市販の弁当や、自宅で調理をして食事をしたとき、食した食べ物やカロリー値等を入力し、個人食生活健康状態管理サーバ３３に送出する。個人食生活健康状態管理サーバ３３は会員携帯電話４から受信した食べ物やカロリー値等のデータを登録する。
【００８３】
このようにして、食生活健康管理情報提供事業者が食事をすることによる摂取カロリーや栄養等の情報と運動することによるカロリー消費情報とを関連付けて管理することにより、会員は適時における適切なる摂取カロリー量や栄養等または適切なる運動量の食生活管理情報を取得することができ、日々の食事摂取内容を適正化へ導かれ、かつ、単に食事療法的な健康を維持するだけでなく、通常の食生活を送りながら、適度な運動をすることによるバランスのとれた健康を維持することができるようになる。
【００８４】
上述した実施の形態の他に、会員が会員携帯電話４からネットワーク６を介して食事メニュー管理サーバ１２へ接続し、例えば、事業提携先食堂事業者システム１が提供する献立を閲覧する機能を有するようにしてもよい。
【００８５】
また、会員が会員携帯電話４からネットワーク６を介して事業提携先トレーニングジムシステム２の予約管理サーバ２２へ接続し、トレーニングの予約を行う機能を有するようにしてもよい。
【００８６】
また、会員携帯電話４の代わりに、ネットワーク６に接続可能な通信機能付ＰＤＡ（Ｐｅｒｓｏｎａｌ  Ｄｉｇｉｔａｌ  Ａｓｓｉｓｔａｎｃｅ）や、ネットワーク６に接続可能な通信機器に接続されたノートパソコンを備えるようにしてもよい。
【００８７】
また、事業提携先食堂事業者と事業提携先トレーニングジム事業者と食生活健康管理情報提供事業者とが同一の事業者であってもよい。
【００８８】
また、他の実施の形態として、食生活健康管理情報提供事業者システムが会員の摂取カロリー値と消費カロリー値とを関連付けした結果から導いた会員が行う必要処置の実施を支援する手段を追加するようにしてもよい。
【００８９】
すなわち、食生活健康管理情報提供事業者システムの個人食生活健康状態管理サーバは会員の摂取カロリー値と消費カロリー値とを関連付けした結果から導いた会員が行う必要処置を事業提携先食堂事業者システムの食事メニュー管理サーバと事業提携先トレーニングジムシステムの予約管理サーバに送信する。会員が会員携帯電話からネットワークを介して食事メニュー管理サーバへ接続して事業提携先食堂事業者システムが提供する献立を閲覧するときに、食事メニュー管理サーバは必要処置で示された食事メニューを満たす献立を表示する。また、会員が会員携帯電話からネットワークを介して事業提携先トレーニングジムシステムの予約管理サーバへ接続してトレーニングの予約を行うときに、予約管理サーバは必要処置で示されたトレーニングメニューを満たすトレーニングコースを表示する。
【００９０】
本発明による上述した実施の形態において、食生活健康管理情報提供システムの処理動作を実行するためのプログラム等を、データとしてコンピュータの磁気ディスクや光ディスク等の記録媒体（図示せず）に記録するようにし、記録されたデータを読み出して食生活健康管理情報提供システムを動作させるために用いる。このように、本発明による食生活健康管理情報提供システムを動作させるデータを記録媒体に記録させ、この記録媒体をインストールすることにより食生活健康管理情報提供システムの機能が実現できるようになる。
【００９１】
【発明の効果】
第１の効果は、会員が、日々の食事摂取内容を適正化へ導かれ、かつ、単に食事療法的な健康を維持するだけでなく、通常の食生活を送りながら、適度な運動をすることによるバランスのとれた健康を維持することができることである。
【００９２】
その理由は、食生活健康管理情報提供事業者システムが、事業提携先食堂事業者システムからの食事カロリーデータと事業提携先トレーニングジムシステムからの運動量データとを取得し、食生活と運動とを関連付けして管理するようにしたからである。
【００９３】
第２の効果は、食生活健康管理情報提供事業者と会員契約を結んでいる会員が、インターネットに接続可能な携帯電話等で食生活に関わる健康状態の情報をいつでも、どこでも簡易に得ることができることである。
【００９４】
その理由は、会員の携帯電話等から食生活健康管理情報提供事業者のサーバに接続して、食生活に関わる健康状態の情報を携帯電話等に表示するようにしたからである。
【００９５】
第３の効果は、事業提携先食堂事業者を、例えば社員食堂等と位置づければ、社員の社員食堂の利用率向上と、健康に対するモラールの向上が同時に図れ、ひいては社員の健康維持が促進され、健康医療費の低減につながることである。
【図面の簡単な説明】
【図１】本発明の実施の形態のシステム構成を示すブロック図である。
【図２】会員が事業提携先食堂で食事をしたときのフローチャートを示す図である。
【図３】会員が事業提携先トレーニングジムで運動をしたときのフローチャートを示す図である。
【図４】会員が食生活健康管理情報提供事業者のサーバへ万歩計（登録商標）の歩数を登録するときのフローチャートを示す図である。
【図５】会員が食生活健康管理情報提供事業者のサーバから食生活健康状態データを引き出すときのフローチャートを示す図である。
【図６】会員が食生活健康管理情報提供事業者のサーバから最新の食生活健康状態データを引き出すときのフローチャートを示す図である。
【図７】会員が食生活健康管理情報提供事業者のサーバへ会員携帯電話を操作し万歩計（登録商標）の歩数を登録するときの会員携帯電話の画面を示す図である。
【図８】会員が食生活健康管理情報提供事業者のサーバから会員携帯電話を操作し情報提供サービスを受けるときの会員携帯電話のサービスメニュー画面を示す図である。
【図９】会員が食生活健康管理情報提供事業者のサーバから会員携帯電話を操作し情報提供サービスを受けるときの会員携帯電話の食生活健康状態画面を示す図である。
【図１０】会員が食生活健康管理情報提供事業者のサーバから会員携帯電話を操作し情報提供サービスを受けるときの会員携帯電話の必要処置画面を示す図である。
【図１１】会員が食生活健康管理情報提供事業者のサーバへ会員携帯電話を操作し食事メニューを登録するときの会員携帯電話の画面を示す図である。
【符号の説明】
１    事業提携先食堂事業者システム
２    事業提携先トレーニングジムシステム
３    食生活健康管理情報提供事業者システム
４    会員携帯電話
５    万歩計（登録商標）
６    ネットワーク
１１    通信制御装置
１２    食事メニュー管理サーバ
１３    会員ＩＤサーバ
１５    ＰＯＳレジ
１６    カードリーダー
２１    通信制御装置
２２    予約管理サーバ
２３    個人運動量データサーバ
２４    会員ＩＤサーバ
２５    運動器具
２６    カードリーダー
３１    通信制御装置
３２    会員管理サーバ
３３    個人食生活健康状態管理サーバ
３４    会員カード
【図１】
2004272453.tif 000003
【図２】
2004272453.tif 000004
【図３】
2004272453.tif 000005
【図４】
2004272453.tif 000006
【図５】
2004272453.tif 000007
【図６】
2004272453.tif 000008
【図７】
2004272453.tif 000009
【図８】
2004272453.tif 000010
【図９】
2004272453.tif 000011
【図１０】
2004272453.tif 000012
【図１１】
2004272453.tif 000013